(57)【要約】容器（Ｃ）から液体（Ｌ）（例えば血液）を吸引する方法および装置（１０）は、液体吸引プローブ（１２）の先端に隣接して装着されたサーミスター要素（２０）に電気的にバイアスをかけて、プローブが間違いなく液体本体内に沈められているかを測定して、吸引プロセス中、絶えず吸引を行う。本発明の方法および装置において有用な別の吸引プローブアセンブリをさらに開示する。
2006517299.tif 000002
【特許請求の範囲】
【請求項１】
容器から液体を吸引する方法であって、
（ａ）液体吸引プローブの先端の近傍にサーミスターを装着するステップと、
（ｂ）前記サーミスターの温度を、前記サーミスターの周囲の温度よりも高い初期の所定レベルに維持するために、前記サーミスターへ所定の一定の電流を流すステップと、
（ｃ）前記サーミスターの抵抗をモニターしつつ、被吸引液体へ向けてその中に前記プローブの先端を前進させるステップと、
（ｄ）前記サーミスターが、被吸引液体へ入り、前記サーミスターの温度が閾値を下回ったことを示す、前記サーミスターの抵抗が予め調節された閾値を上回ったことを検知すると、液体が前記プローブ内へ吸引されるように、前記吸引プローブへ真空力をかけるステップと、
を含む方法。
【請求項２】
前記真空力をかけるステップ（ｄ）は、所定の時間間隔、または前記サーミスターの温度が前記閾値を上回るまで、どちらが先に起こっても行われる請求項１に記載の方法。
【請求項３】
前記サーミスター装着ステップ（ａ）は、
（ｉ）前記液体吸引プローブの外壁内に、軸方向に延びるチャネルを形成するステップと、
（ｉｉ）前記チャネル内に、前記サーミスターおよびそれと関連づけられる一対の導線を配置するステップと、
（ｉｉｉ）前記チャネル内に前記サーミスターおよび導線を接着剤で接合するステップと、
を含む請求項１に記載の方法。
【請求項４】
前記サーミスター装着ステップ（ａ）は、
（ｉ）前記プローブの遠位端の付近において前記プローブの外部と前記管腔が連通するように、前記液体吸引プローブ内に、実質的に軸方向に延びる管腔を形成するステップと、
（ｉｉ）前記サーミスターを前記管腔内に、前記管腔が前記プローブの外面と交差する場所において付着するステップと、
（ｉｉｉ）一対の導線を前記管腔内に前記サーミスターと関連づけて配置するステップと、
を含む請求項１に記載の方法。
【請求項５】
容器から液体を吸引する装置であって、
（ａ）前記プローブ内へ液体が吸引され得る先端を有する液体吸引プローブと、
（ｂ）前記液体吸引プローブの先端に近接して装着されたサーミスターと、
（ｃ）前記サーミスターの周囲温度より高い初期の所定のレベルに前記サーミスターの温度を維持するために、前記サーミスターに所定の一定の電流を流すための第１の電気回路と、
（ｄ）前記プローブ先端を容器内の液体本体の方へその内部へ選択的に前進させるための駆動機構と、
（ｅ）前記サーミスターの抵抗をモニターするための第２の回路と、
（ｆ）前記サーミスターが前記被吸引液体に入って前記サーミスターの温度が閾値を下回ったことを示す、前記サーミスターの抵抗が予め調節された閾値を上回ったことを検知すると、液体が前記プローブ内へ吸引されるように、前記吸引プローブに真空力をかけるための前記第２の回路に応答する中央処理装置と、
を備える装置。
【請求項６】
液体吸引プローブアセンブリであって、
（ａ）軸方向に延びる内部管腔を画定する円筒形ハウジングを含む吸引プローブであって、前記内部管腔には、前記プローブハウジングの遠位端付近に開口部が配置されており、前記開口部を液体量内へ入れて真空力を前記管腔へかけると、前記開口部を通って、液体が前記管腔内へ吸引され得る前記吸引プローブと、
（ｂ）前記遠位端付近において前記プローブハウジングへ付着されたサーミスター要素と、
を備えるアセンブリ。
【請求項７】
前記サーミスター要素は、少なくとも１本の導線に接続され、前記プローブハウジングは、前記ハウジングの外壁中に細長いチャネルを画定し、前記チャネルは、前記管腔に平行に延び、かつ前記プローブハウジングの遠位端付近に配置された端部を有しており、前記チャネルは、前記導線を受け入れ前記チャネル端部に前記サーミスター要素を配置するように適合された請求項６に記載のプローブアセンブリ。
【請求項８】
前記サーミスター導線およびサーミスター要素は、接着剤によって前記チャネル内に収容される請求項７に記載のプローブアセンブリ。
【請求項９】
前記サーミスター要素は、少なくとも１つの導線に接続され、
前記プローブハウジングは、前記サーミスター導線を受け入れるための少なくとも１つの別の管腔を画定し、
前記別の管腔は、前記ハウジングの遠位端内の雰囲気への開口部を有し、当該開口部内に、前記サーミスター要素が接着剤により支持される請求項６に記載のプローブアセンブリ。
【請求項１０】
前記プローブハウジングは、第３の管腔を画定しており、当該第３の管腔は、両端において前記雰囲気に開口するように軸方向に延びるとともに、液体吸引前に、密閉された液体収容用容器から前記雰囲気への排出口になるように適合されている請求項９に記載のプローブアセンブリ。
【発明の詳細な説明】
【技術分野】
【０００１】
本発明は、吸引プローブまたは針で容器（例えば、試験管またはバイアル）から液体を所定量吸引する方法および装置における改良に関する。さらに詳細には、本発明は、吸引量内へ空気が不用意に導入されることを回避するために、液体吸引プロセス全体が行われている間に、液体試料内に吸引プローブが間違いなく配置されることを保証する、方法および装置における改良に関する。本発明は、比較的微量（マイクロリットルオーダー）の血液、およびこのような血液の分析に使用する液体試薬の高精度な吸引および分配が必要となることが多い血液学、螢光フローサイトメトリーおよび血液化学の分野に、特に有用である。
【背景技術】
【０００２】
自動血液検査器具には、一般に、密封した試験管から血液試料を自動的に吸引するための、また処理用ワークステーションに、１つまたはそれ以上の正確な一定分量で吸引した試料を分配するための装置が含まれる。そのような器具では、中空の試料吸引針を、通常、血液を収容した試験管の長手方向軸線と一致する垂直通路に沿って、自動的に下方へ前進させる。そのような移動中に、吸引用の針の鋭い遠位端または先端が、チューブを密閉する隔壁を穿刺し、試料と隔壁との間に位置するある量の空気中を移動し、最後に、被吸引血液試料内に入る。その後、真空ポンプが、所定の時間間隔作動されて、試料を所望量（例えば、２５０マイクロリットル）吸引用針の内部の管腔内へ吸引し、それには、真空ポンプが適切な導管により作動的に連結されている。吸引された試料は、一般に、（例えば、共有されている、Ｃａｂｒｅｒａらへの米国特許第４，８９６，５４６号明細書に開示されたタイプの通常の採血弁により）分けられて、複数の比較的少量の一定量（各々が約５マイクロリットルと約７５マイクロリットルとの間）が供給され、その一定量が、次に分配され、試料の一定量の分析に適切な試薬と混合される。あるいは、吸引された試料は、吸引プローブが分配プローブとしても機能するシステムにおいて、容積式（注射器型）ポンプによって分けることもできる。
【０００３】
上記のタイプの血液吸引装置では、試料を正確な量で吸引するには、吸引プロセスの間常にプローブ先端を完全に血液試料内に沈めておく必要があることが理解されるだろう。プローブ先端が試料の外部、例えば試料上方の空気ポケット内に位置している間、プローブに吸引用の真空力をかけると、プローブ内へ空気が引っ張られ、吸引精度が下がってしまう。このような「吸引および吐出」システムは、インライン型泡検知器の使用には適していないので、前述のタイプの試料吸引／分配システム内では、この状態が悪化する。試料ライン内へ空気が吸引されることを回避するための様々な案が、これまでに提案され用いられてきた。例えば：
共有されているＤｒｂａｌらへの米国特許第４，３４１，７３６号明細書には、一連の開口したキュベットまたは容器から生物学的流体試料を吸引するための流体（すなわち液体）輸送機構が、開示されている。この特許は、吸引される試料中に空気を引き込まずに吸引が行われ得るように、流体吸引プローブの先端が、流体試料内に間違いなく沈められていることを表示するための２つの異なる案を開示している。両方の案は、信号を生成する際に流体試料の電気的性質を利用する。第１の案によれば、プローブは、非導電性プラスチック管からなる。管は、間隔をおいて平行に配置された一対の電極を支持し、これらの電極は、管の内側全体に沿って延び管の吸引用端部で終わる。電極の対向した端部は、電源を横切って接続される。プローブ先端の電極端が、試料流体の方へ移動し最終的にそれと接触すると、電気回路は、試料流体を介して完成し、したがって、プローブ先端が今試料流体に入っていることを示す信号が生成され、吸引が間違いなく行われ得る。第２の案によれば、吸引プローブは、ステンレス鋼からなり、また、試料流体は、導電性容器内に収容されるか、あるいは、容器が非導電性の場合、容器は、導電性のある基部上において支持される。鋼プローブは、ＡＣ電源に電気的に接続され、また、導電性の容器または基部は、電気的にアースされる。プローブ先端が、試料流体面に近づき最終的に接触すると、プローブ先端と容器（または基部）との間の電気的なキャパシタンスが変化し、これは、介在する試料流体の誘電性により決定される。このキャパシタンスの変化は、プローブが試料流体と接触し試料流体に入ったことを示すブリッジ回路において検出される。
【０００４】
上述のタイプの液位検出装置を使用する際には、被吸引液体試料を攪拌すると発泡する場合、問題が生じる場合がある。血液学の分野で、例えば、解析中の試料の均質さを保証するために、試験管中の血液試料を連続的に揺り動かして撹拌することは、一般的である。血液をバイアル内において連続的に前後に動かすことによって、最終的に、試料面に、空気および血液が泡立った混合物（すなわち泡）が形成されかねない。残念ながら、泡の電気的性質は、試料そのものとほとんど変わらない。したがって、上記の装置において、電極または導電性の吸引プローブが、泡と接触するとすぐに、プローブが試料を吸引する準備ができている位置にあることを示す信号が、生成される。これが生じると、気泡が、吸引される試料内に引き込まれ得、それにより、吸引量が不確実になってしまう。さらに、キャパシタンスレベルを検出するタイプの液位センサにおいては、（非電導性である場合）試験管を概ね直立した向きに常に維持することが、通常必要である。この向きにすることによって、対向電極（試験管が載置される電導性の基部）が試料液体のすぐ近くにあることが保証される。したがって、この液位を検知する案は、試料吸引中に（シールを下向きにして）試験管を逆さまする器具には役に立たない。
【発明の開示】
【発明が解決しようとする課題】
【０００５】
先の説明を考慮して、本発明の目的は、液体吸引プローブを有する容器から液体を吸引するための、改良された液体吸引方法および装置を提供することである。
【０００６】
本発明の別の目的は、液体面上の泡の層または泡を、容器内の下にある液体自体と区別し得る、ここに説明するタイプの液体吸引装置を提供することである。
【０００７】
本発明の別の目的は、被吸引液体試料中に吸引プローブの先端が沈められたことを検知するための装置における使用に適合させた、改良された液体吸引プローブアセンブリを提供することである。
【課題を解決するための手段】
【０００８】
本発明の第１の態様によれば、容器から液体を吸引する方法であって、（ａ）液体吸引プローブの先端の近傍にサーミスターを装着するステップと、（ｂ）サーミスターの温度を、サーミスターの周囲の温度よりも高い初期の所定レベルに維持するために、サーミスターへ所定の一定の電流を流すステップと、（ｃ）サーミスターの抵抗を検知しつつ、被吸引液体へ向けてその中へプローブの先端を前進させるステップと、（ｄ）サーミスターが、被吸引液体の上の泡を通過して、被吸引液体へ入ったことを、サーミスターの抵抗が示していることを検知すると、液体がプローブ内へ吸引されるように、吸引プローブへ真空力をかけるステップと、を含む方法が、提供される。
【０００９】
本発明の第２の態様によれば、改良された新規な液体吸引装置は、液体吸引用遠位端の近傍にサーミスター要素を支持するための液体吸引プローブを備える。バイアス回路が、周囲（室温）より高い温度へサーミスターを加熱するように作動し、それと同時に、ブリッジ回路または同様のものが、サーミスターの温度、およびプローブの遠位端が、被吸引液体試料内へ移動することにより生じる熱損失をモニターするように作動する。制御回路が、プローブへ真空力をかけて内部に液体が吸引されるように、第２の回路の出力に応答する。
【００１０】
本発明の第３の態様によれば、改良された新規な液体吸引プローブアセンブリが、提供される。このようなアセンブリは、好ましくは鋭利な遠位端を有し、液体試料容器上のシールに穿孔するように適合された細長い円筒形の吸引プローブ、例えばカニューレと、遠位端の近傍においてプローブに装着されたサーミスターとを備える。第１の実施形態によれば、プローブは、少なくとも一対の細長いチャネルまたは管腔を画定する内壁を有し、これらのチャネルまたは内腔は、プローブの軸線に概ね平行に延び、プローブの遠位先端の付近において終わる。一方の管腔は、プローブから液体を吸引するために使用し、他方の管腔は、導線を収容するために使用し、この導線によって、プローブ先端の付近においてこのような他方の管腔内に装着されたサーミスターが、遠隔配置された制御回路に接続され得る。制御回路は、サーミスターを所望の初期温度へ加熱し、かつ、被吸引液体量へプローブ先端が移動するときに、瞬間抵抗により表されるサーミスターの温度をモニターすることに役立つ。第２の実施形態によれば、サーミスターは、プローブの外壁に形成されプローブの長手方向軸線に平行に延びる細長い溝またはチャネル内に収容される。
【００１１】
本発明およびその利点は、同様の参照符号で同様の部分を示す添付の図面を参照して、後出の好ましい実施形態の詳細な説明からよく理解されるだろう。
【発明を実施するための最良の形態】
【００１２】
ここで、図面を参照すると、図１は、容器Ｃから、全血などの液体Ｌを吸引するための液体吸引装置１０を示している。容器は、ここに示すように密封した試験管またはバイアルＶの形態であるか、あるいは開口したキュベットの形態であり得る。装置１０は、移動式に装着されたキャリッジ１４により垂直方向に移動されるように支持されている吸引プローブ１２、例えば中空の針またはカニューレを備える。後者は、双方向ステッピングモーター１８により選択的に回転する、ねじ山が切られた主ねじ１６に、通常の方法で、作動的に連結されている。ねじ山が切られた主ねじが回転すると、その回転運動は、ねじ溝が切られたナット１９がキャリッジにより運ばれることによって、キャリッジの直線運動に転換される。ステッピングモーターの操作は、中央処理装置ＣＰＵを備えるマイクロプロセッサーを適切にプログラムすることにより制御される。
【００１３】
本発明によれば、プローブ１２は、その先端または遠位端１２Ａにおいて通常のサーミスター要素２０を移送する。後述するように、サーミスターは、プローブの吸引部が、吸引プロセス中にいつでも液体試料Ｌ内に間違いなく沈められることを保証するための液面センサとして使用される。この応用の特に好ましいサーミスターは、部品番号Ｂ１０ＫＡ１０３ＫのもとＴｈｅｒｍｏｍｅｔｒｉｃｓ，Ｉｎｃ．により製造され販売されているものである。そのようなサーミスターは、約０．０１０インチ（０．２５ｍｍ）の直径の小さなガラス玉中に閉じ込められ、１／１０ワットまでの電力レベルで作動するように適合されている。
【００１４】
液体吸引の前に、サーミスター要素２０は、周囲の室温よりいくらか高い温度、好ましくは約華氏５〜１０度高い温度を内部抵抗が示す温度まで、適切に電気的なバイアス電流を流すことにより予熱される。周囲温度（室温）で液体中にサーミスターが確実に沈められたことを検知するのに必要な場合、このように電気的なバイアスをかけることによって、室温、または室温に近い温度における比較的少ない温度変化への、サーミスターの感度が高くなる。サーミスターのバイアス電流は、上記の中央処理装置の出力により供給される。ブリッジ回路２２または同様のものは、液体吸引プロセスにより生じるサーミスターの温度（すなわちその抵抗）の変化をモニターすることに役立つ。本発明の実施方法は、図２を参照することにより最もよく理解されるだろう。
【００１５】
本発明の実施について説明する際に、液体容器をゴム栓Ｓまたはその他同様のものにより密閉し、容器を垂直方向に直立した位置に保持し、そして、吸引プローブを、その先端が栓を貫通するように下方へ移動させるものとする。しかしながら、以下の説明から、本発明の装置を作動させるために容器を密閉しなくてもよいし、また容器を垂直に直立させて保持しなくてもよいことが理解されるだろう。さらに、図示目的で、容器を完全には満たさず、液体と栓の底との間には空気塊ＡＭを存在させ、液体面には泡の層または泡Ｆを存在させるものとする。繰り返すが、そのような空気塊は設けなくてもよいことが、理解されるだろう。したがって、吸引プローブの先端は、液体容器上方の垂直な位置から下方へ移動されるにつれて、まず、栓Ｓ、次に空気塊ＡＭ、その次に泡の層Ｆを通過し、最後に被吸引液体Ｌ本体に入る。図２を参照すると、時間ｔ０において、サーミスター温度は、ＣＰＵによって、室温ＴＲより数度上の初期のバイアス温度ＴＢに設定される。この時に、その温度により決定されるサーミスター抵抗は、バイアスレベルＲＢになる。グラフの左右の縦座標上の逆向きの矢印により示すように、サーミスター抵抗は、その温度に反比例することに留意する。したがって、サーミスターの温度が高くなると、抵抗は減少する。時間ｔ１において、下方へ動く吸引プローブの先端に近接して装着されたサーミスターは、貫通可能な栓Ｓに入れられそれを貫通し、動的な栓およびサーミスターの相互作用により生じる摩擦力によって、サーミスターの温度が、初期のバイアス温度ＴＢを超え始める。時間ｔ２では、プローブの先端が、栓から出て液体試料の上方の空気塊ＡＭに入ると、サーミスターの温度は、空気の熱伝達特性が比較的低いことから比較的遅い速度で、初期のバイアス温度ＴＢへ戻り始めることになる。プローブの先端が、時間ｔ３において泡の層Ｆに入ると、サーミスターの温度は、急に低下して、泡の熱伝達特性により決定されるレベルに安定する。ここに示すように、サーミスターの温度は、泡の層を通過している間に急速に種々に変動し、また、瞬間的レベルは、サーミスターが、空気ポケット（泡）内にあるか、または空気ポケットを形成する液体内にあるかにより決定される。主に空気を含む空間内にある場合、サーミスター温度は、バイアスレベルへ上昇し、逆に、サーミスターが主に液体からなる空間内にある場合、サーミスター温度は、液体温度（すなわち室温）へ低下する。時間ｔ４では、プローブの先端は、液体試料に入れられ、（泡と比較して）液体の熱伝導率がはるかに高いことによって、サーミスター温度は、ＴＢとＴＲとの間の定常状態のレベルに比較的急に低下する。液体の温度は、室温であるが、バイアス電流がサーミスターに流されると、いくらか高い温度を示すことに留意する。ＣＰＵは、時間ｔ４から測定した所定の時間間隔、サーミスター温度がこの定常状態のレベルのままであるという入力を回路２２から受信すると、プローブにかけられる真空力を引き起こす信号を生成して、それにより、液体の吸引が始まる。（サーミスターの抵抗により表される）サーミスター温度が吸引中に上昇し始めて、それにより、サーミスターが液体試料中にもはや沈められていないことが示された場合には、停止信号が、ＣＰＵにより生成され、吸引された試料が、廃棄される。容器中の液体のレベルが、液体を所望量吸引するのに必要なレベルを下回って低下すると、あるいは吸引中に容器とプローブとが相対的に動くと、この事象が生じる場合がある。図６のフローチャートは、上述の一連のステップを実行する本システムのマイクロプロセッサーにより行なわれるプログラムを示している。
【００１６】
図３に、サーミスター温度をモニターし、そして、吸引プローブの位置を制御し得る信号を供給するための好ましい制御回路２２を示す。回路２２は、抵抗器Ｒ０およびサーミスター抵抗ＲＴを含む分圧器ネットワークを含み、それは、ＤＣ電圧源ＶＳにより駆動される。分圧器ネットワークの出力Ｖ（ｔ）は、アナログデジタル回路２６の入力信号範囲と互換性のあるレベルへ入力信号を増幅する役目をする増幅回路２４によって増幅されフィルターされる。増幅器２４内のフィルター回路は、所望の周波数スペクトル以外の不要なスプリアス信号を排除する。回路２６のデジタル出力は、ソフトウェアアルゴリズム常駐プログラムを使用して、デジタル信号処理回路２８により処理される。アルゴリズムの機能は、サーミスターが空気または泡のいずれかに接していることをＶ（ｔ）の波形パターンが示すと、第１の出力フラグ（１）をＣＰＵに供給することであって、この場合、サーミスター抵抗ＴＲは、閾値ＲＴＨを上回り、かつ／または信号が急に変化し不安定になり得る。サーミスターが液体に沈められた場合、ソフトウェアアルゴリズムは、ＣＰＵに第２のフラグ（０）を供給して、ステッピングモーターが、吸引プローブの吸引ポートを液体のバイアル内へ、間違いなく吸引を開始し得るのに十分遠くへ移動させたことを示す。泡と液体とを識別するために使用される基準は、Ｆ（ｔ）の変動の振幅に基づくことが好ましい。
【００１７】
図４Ａ〜図４Ｃを参照すると、好ましい液体吸引プローブアセンブリＰＡであって、管状ハウジング３２を備えるカニューレ３０と、カニューレの遠位端３０Ａの近傍に装着されたサーミスター要素２０とを含むアセンブリＰＡが示されている。管状ハウジング３２は、ステンレス鋼からなることが好ましく、その外径は、約１．０と２．０ｍｍとの間であることが好ましい。管状ハウジング３２は、中央の穿孔または管腔３２Ａを画定しており、この中央の穿孔または管腔３２Ａは、直径が約０．２０ｍｍであり、ハウジングの全長に沿って軸方向に延びている。したがって、ハウジング３２の壁の厚さは、約０．４ｍｍと０．９ｍｍとの間である。真空が適用されその遠位端３６が液体に沈められると、液体は、中央の管腔を通って吸引される。ハウジング３２の外壁は、管の軸線Ａに平行に延びる細長い溝またはチャネル３４を画定する。チャネル３４の深さは、好ましくは約０．３７５ｍｍであり、また、その横断面は、一対の導線Ｌ１、Ｌ２を受け入れるような形状であって、それにより、サーミスター２０が、遠隔に位置するバイアスおよび温度モニター回路２２に接続され得る。サーミスター要素２０は、チャネル３４の遠位端に配置されており、これは、カニューレのテーパーがつけられた部分３０Ａの若干上の軸方向の位置に対応する。カニューレの吸引ポートの垂直方向上方に配置されているので、サーミスターが液体中に沈んでいることをサーミスターの温度が示すとき、吸引ポートは、常に、液体中に沈められている。サーミスターおよび導線は、チャネル３４の全長に沿って延びるチャネル３４内に適切なエポキシ接着剤３６により保持される。
【００１８】
図５Ａ〜図５Ｃに、プローブアセンブリＰＡの別の好ましい実施形態を示す。ここで、プローブアセンブリは、内部に形成された３つの内部管腔４１、４２および４３を有するステンレス鋼カニューレ４０を備える。外側寄りの管腔４１および４３は、液体を吸引し、（容器が密閉される場合）容器からの排出口として役立つ。中央管腔４２は、その長さの殆どにわたるカニューレの軸線Ａと同心であり、サーミスターの導線Ｌ１、Ｌ２を収容するために使用され、これらの導線は、サーミスター要素２０にバイアスをかけサーミスター要素２０の温度変化を検知するために使用される。チャネル４２Ａを、やや角度をつけて方向付けることによって、チャネル４２がプローブの外部と連通し得る。また、サーミスター２０は、適切なエポキシ材料を使用して、プローブの外面に張り付けられる。
【００１９】
本発明を特に好ましい実施形態に関して説明してきたが、本発明の精神から逸脱せずに変更を行うことができることは明白だろう。そのような変更は、添付の特許請求の範囲内で行うものとする。
【図面の簡単な説明】
【００２０】
【図１】本発明を実施する液体吸引装置を示す。
【図２】図１の装置において使用される液体検知サーミスター要素の温度および抵抗の変化を示すグラフである。
【図３】サーミスターの抵抗の変化により生じる電気信号を処理するための好ましい制御回路の電気に関する概略図である。
【図４Ａ】本発明により組み立てられた第１の好ましい液体吸引プローブアセンブリの拡大斜視図である。
【図４Ｂ】本発明により組み立てられた第１の好ましい液体吸引プローブアセンブリの側面図である。
【図４Ｃ】本発明により組み立てられた第１の好ましい液体吸引プローブアセンブリの断面図である。
【図５Ａ】本発明により組み立てられた第２の好ましい液体吸引プローブアセンブリの拡大斜視図である。
【図５Ｂ】本発明により組み立てられた第２の好ましい液体吸引プローブアセンブリの側面図である。
【図５Ｃ】本発明により組み立てられた第２の好ましい液体吸引プローブアセンブリの断面図である。
【図６】図１の装置を備えるマイクロプロセッサーにより実行される好ましいプログラムを示すフローチャートである。
【図１】
2006517299.tif 000003
【図２】
2006517299.tif 000004
【図３】
2006517299.tif 000005
【図４Ａ】
2006517299.tif 000006
【図４Ｂ】
2006517299.tif 000007
【図４Ｃ】
2006517299.tif 000008
【図５Ａ】
2006517299.tif 000009
【図５Ｂ】
2006517299.tif 000010
【図５Ｃ】
2006517299.tif 000011
【図６】
2006517299.tif 000012
【手続補正書】
【提出日】平成17年10月6日(2005.10.6)
【手続補正１】
【補正対象書類名】図面
【補正対象項目名】全図
【補正方法】変更
【補正の内容】
【図１】
2006517299.tif 000013
【図２】
2006517299.tif 000014
【図３】
2006517299.tif 000015
【図４Ａ】
2006517299.tif 000016
【図４Ｂ】
2006517299.tif 000017
【図４Ｃ】
2006517299.tif 000018
【図５Ａ】
2006517299.tif 000019
【図５Ｂ】
2006517299.tif 000020
【図５Ｃ】
2006517299.tif 000021
【図６】
2006517299.tif 000022
【国際調査報告】
2006517299.tif 000023
2006517299.tif 000024